(57)【要約】      （修正有）【課題】電磁石のみでロック機構を構成した場合でも無駄な電力を消費しないようにする。【解決手段】情報記録装置側に電磁石、カード蓋側に磁性体を設け、情報記録装置が画像情報を記録するためカードにアクセス中、あるいは少なくともＴＯＣ情報記録中は電磁石に電力を流して磁性体を吸引し、通常の操作力ではカード蓋をオープンできないようにした。【選択図】図３
2007128249.tif 000002
【特許請求の範囲】
【請求項１】
被写体を撮像しその画像情報を情報記録カードに記録する記録装置を持ち、該カードを本体から出し入れする際に該カードを覆っているカード蓋を開閉するタイプの情報記録装置において、該カード蓋の開閉ロック機構として、該情報記録装置の本体側に電磁石を配置し、該カード蓋側に磁性体を配置し、ＴＯＣ情報記録中と画像情報記録中は、該情報記録装置本体側の電磁石のＰＯＷＥＲをＯＮにしカード蓋側の磁性体を吸引し、通常の操作力では該カード蓋をオープンできなくしたことを特徴とする情報記録装置。
【請求項２】
被写体を撮像し、その画像情報を情報記録カードに記録する記録装置を持ち、該カードを本体から出し入れする際に該カードを覆っているカード蓋を開閉するタイプの情報記録装置において、該カード蓋の開閉ロック機構として電磁石を有し、ＴＯＣ情報記録時中は、画像情報記録時中より前記電磁石の吸引力を増大させたことを特徴とする情報記録装置。
【請求項３】
被写体を撮像し、その画像情報を情報記録カードに記録する記録装置を持ち、該カードを本体から出し入れする際に該カードを覆っているカード蓋を開閉するタイプの情報記録装置において、該カード蓋の開閉ロック機構として、該情報記録装置の本体側に電磁石を配置、該カード蓋側の磁性体を配置し、ＴＯＣ情報記録中は、該情報記録装置本体側の電磁石のＰＯＷＥＲをＯＮにしカード蓋側の磁性体を吸引し、通常の操作力では該カード蓋をオープンできなくし、画像情報記録中を含むＴＯＣ情報記録中以外は該情報記録装置本体側の電磁石のＰＯＷＥＲをＯＦＦにしカード蓋側の磁性体を該情報記録装置本体側に配置した永久磁石の吸引力で吸引し、該カード蓋を簡単にはオープンできなくすると共に電力の消費をおさえたことを特徴とする情報記録装置。
【発明の詳細な説明】
【技術分野】
【０００１】
本発明は画像情報をカードに記録する記録装置を持ち、該カードを本体から出し入れする際にカード蓋を開閉するタイプの情報記録装置に関する。
【背景技術】
【０００２】
従来の情報記録装置のカード蓋は、電磁石を使用してカード蓋のメカ的な開閉ロック機構を動作させカード蓋をオープンできる、あるいはメカ的なロック機構を設け手動での開閉ロック機構を動作させカード蓋をオープンできる、永久磁石でカード蓋を吸引しカード蓋オープン時は永久磁石の吸引力にうち勝つ力でオープンできる等の方法が採られている。
【０００３】
従来例としては、例えば特許文献１と特許文献２をあげることが出来る。
【特許文献１】特開平１０−２４８０３０号公報
【特許文献２】特公平２−３９７７５号公報
【発明の開示】
【発明が解決しようとする課題】
【０００４】
しかしながら従来の情報記録装置のカード蓋の開閉ロック機構に電磁石を使用してカード蓋のメカ的な開閉ロック機構を動作させカード蓋をオープンする方式では、電磁石とメカ的な開閉ロック機構が必要となりコストがかかる。メカ的な開閉ロック機構を省き電磁石で直接カード蓋側の磁性体を吸引する方式では常に電流を流す必要があり電力を浪費してしまう。
【０００５】
メカ的なロック機構を設け手動での開閉ロック機構を動作させカード蓋をオープンする、永久磁石でカード蓋を吸引しカード蓋オープン時は永久磁石の吸引力にうち勝つ力でオープンする等の方法では、情報記録装置がカードに画像情報を記録するためにカードにアクセス中でもカード蓋をオープンでき情報記録装置のカードコネクタ部からカードを取り出してしまうことができる。情報記録装置がカードに画像情報を記録するためにカードにアクセス中は通常の操作力ではカード蓋をオープンできなくして情報記録装置のカードコネクタ部からカードを取り出すことができなくする、あるいはアクセス時間のうち少なくともＴＯＣ情報記録中は通常の操作力ではカード蓋をオープンできなくしてカードコネクタ部からカードを取り出すことができなくする必要がある。
【０００６】
そこで本発明はメカ的な開閉ロック機構を省きコストを削減し、電力の浪費をおさえながら、情報記録装置がカードに画像情報を記録するためにカードにアクセス中は通常の操作力ではカード蓋をオープンできなくして情報記録装置のカードコネクタ部からカードを取り出すことができない、あるいはアクセス時間のうち少なくともＴＯＣ情報記録中は通常の操作力ではカード蓋をオープンできなくしてカードコネクタ部からカードを取り出すことをできなくし、カードに記録された画像情報の保護を目的とする。
【課題を解決するための手段】
【０００７】
本発明は上記目的を達成するために、情報記録装置のカード蓋の開閉ロック機構として、情報記録装置の本体側に電磁石を配置、カード蓋側に鉄板等の磁性体を配置し、情報記録装置がカードに画像情報を記録するためにカードにアクセス中、あるいはアクセス時間のうち少なくともＴＯＣ情報記録中は、電磁石に電力を流しカード蓋側の鉄板等の磁性体を吸引し、通常の操作力ではカード蓋をオープンできない構成とした。情報記録装置がカードに画像情報の記録を終わりカードにアクセスしていないとき、あるいは画像情報を記録中でもアクセス時間のうちＴＯＣ情報記録中以外は、電磁石に電力を流さずカード蓋側の鉄板等の磁性体を吸引せず、カード蓋を簡単にオープンできる構成としたことを特徴とする。
【発明の効果】
【０００８】
以上述べたように本発明によれば、ＴＯＣ情報、画像情報記録中は、電磁石２３のＰＯＷＥＲをＯＮにし、カード蓋１９側の鉄板等の磁性体２１を吸引し通常の操作力ではカード蓋１９をオープンできなくすることにより、カード１３を取り出すことができないため記録済みの画像情報を保護することができる。
【０００９】
画像情報記録中は電磁石２３のＰＯＷＥＲをＭＩＤにした場合、電磁石２３のＭＩＤの吸引力より強い力ではカード蓋１９をオープンでき、カード１３を取り出すことができるが、ＴＯＣ情報が記録済みのため今回記録している画像情報以前の画像情報は保護される。
【００１０】
画像情報記録中は電磁石２３のＰＯＷＥＲをＭＩＤにすることにより電力の消費をおさえることができる。
【００１１】
画像情報記録中も電磁石２３のＰＯＷＥＲをＯＦＦにした場合、永久磁石２２の吸引力より強い力ではカード蓋１９をオープンでき、カード１３を取り出すことができるが、ＴＯＣ情報が記録済みのため今回記録している画像情報以前の画像情報は保護される。
【００１２】
画像情報記録中は電磁石２３のＰＯＷＥＲをＯＦＦにすることにより電力の消費をおさえることができる。
【発明を実施するための最良の形態】
【００１３】
以下添付図面に従って本発明による情報記録装置の実施の形態について説明する。
【００１４】
図１は本発明の一実施の形態に関する情報記録装置の特徴を表す構成図である。図において、情報記録装置１０は、情報記録装置本体の電源をＯＮ／ＯＦＦする電源ＳＷ１１、被写体を撮像するカメラ部１２、カメラ部１２によって撮像された画像情報を記録する画像情報記録カード１３、画像情報記録カード１３にＴＯＣ情報を記録するＴＯＣ記録回路１４、画像情報記録カード１３に画像情報を記録する画像情報記録回路１５、画像情報記録カード１３にＴＯＣ情報、画像情報を記録スタートさせる画像情報記録ＳＷ１６、画像情報記録カード１３の有無を検出するカード検出ＳＷ１７、情報記録装置を制御するシステムマイコン１８、画像情報記録カード１３を保護するカード蓋１９、カード蓋１９を情報記録装置１０の本体側に閉じるコイルバネ２０、カード蓋１９に固定された鉄板等の磁性体２１、カード蓋１９に固定された鉄板等の磁性体２１を常に吸引するための永久磁石２２、システムマイコン１８によって制御されてカード蓋１９に固定された鉄板等の磁性体２１を吸引するための電磁石２３、電磁石２３を駆動するための電磁石駆動回路２４から構成される。
【００１５】
図２は図１で構成される情報記録装置１０の概略ブロック図である。図１にて構成は説明済みでありここでの説明は省略する。
【００１６】
図３は、上記情報記録装置が画像情報記録カード１３にＴＯＣ情報と画像情報を記録する間は電磁石２３のＰＯＷＥＲをＯＮにして電磁石２３を動作させる場合のフローチャートである。
【００１７】
ステップ１（Ｓ１）で情報記録装置本体の電源をＯＮ／ＯＦＦする電源ＳＷ１０がＯＮされ、ステップ２（Ｓ２）で画像情報記録カード１２の有無を検出するカード検出ＳＷ１６がカードを検出しＯＮの状態で、ステップ３（Ｓ３）に進み画像情報記録カード１３にＴＯＣ情報、画像情報を記録スタートさせる画像情報記録ＳＷ１６がＯＮされると、ステップ４（Ｓ４）で情報記録装置を制御するシステムマイコン１８は電磁石駆動回路２４を介して電磁石２３のＰＯＷＥＲをＯＮし、カード蓋１９側の鉄板等の磁性体２１を吸引しカード蓋１９をオープンできなくし、ステップ５（Ｓ５）でＴＯＣ記録回路１４を介してＴＯＣ情報を画像情報記録カード１３に記録する。ステップ６（Ｓ６）でＴＯＣ情報の記録が終わるとステップ７（Ｓ７）でシステムマイコン１８は画像情報記録回路１５を介して画像情報を画像情報記録カード１３に記録する。ステップ８（Ｓ８）で画像情報の記録が終わるとステップ９（Ｓ９）でシステムマイコン１８は電磁石駆動回路２４を介して電磁石２３のＰＯＷＥＲをＯＦＦにする。
【００１８】
図６は図２のフローチャートで説明した情報記録装置における、システムマイコン１８が電磁石駆動回路２４を介して制御する電磁石２３のＰＯＷＥＲ状態を示すタイムチャートである。
【００１９】
ステップ５（Ｓ５）のＴＯＣ情報記録中とステップ７（Ｓ７）の画像情報記録中は、情報記録装置を制御するシステムマイコン１８が、電磁石駆動回路２４を介して電磁石２３のＰＯＷＥＲをＯＮにしカード蓋１９側の鉄板等の磁性体２１を吸引するため、通常の操作力ではカード蓋１９がオープンできず、カード１３を取り出すことができないため記録済みの画像情報は保護される。それ以外ではシステムマイコン１８が電磁石駆動回路２４を介して電磁石２３のＰＯＷＥＲをＯＦＦにし、カード蓋１９側の鉄板等の磁性体２１を吸引せずカード蓋１９を簡単にオープンできる状態にあることを示す。
【００２０】
図４は、前記情報記録装置が画像情報記録カード１３にＴＯＣ情報を記録する間は電磁石２３のＰＯＷＥＲをＭＡＸにし、画像情報を記録する間は電磁石２３のＰＯＷＥＲをＭＩＤにし電磁石２３を動作させる場合のフローチャートである。
【００２１】
ステップ１１（Ｓ１１）で情報記録装置本体の電源をＯＮ／ＯＦＦする電源ＳＷ１１がＯＮされ、ステップ１２（Ｓ１２）で画像情報記録カード１３の有無を検出するカード検出ＳＷ１７がカードを検出しＯＮの状態で、ステップ１３（Ｓ１３）に進み画像情報記録カード１３にＴＯＣ情報、画像情報を記録スタートさせる画像情報記録ＳＷ１６がＯＮされると、ステップ１４（Ｓ１４）で情報記録装置を制御するシステムマイコン１８は電磁石駆動回路２４を介して電磁石２３のＰＯＷＥＲをＭＡＸにし、カード蓋１９側の鉄板等の磁性体２１を吸引し通常の操作力ではカード蓋１９をオープンできなくし、ステップ１５（Ｓ１５）でＴＯＣ記録回路１４を介してＴＯＣ情報を画像情報記録カード１３に記録する。ステップ１６（Ｓ１６）でＴＯＣ情報の記録が終わるとステップ１７（Ｓ１７）でシステムマイコン１８は電磁石駆動回路２４を介して電磁石２３のＰＯＷＥＲをＭＩＤにする。ステップ１８（Ｓ１８）でシステムマイコン１８は画像情報記録回路１５を介して画像情報を画像情報記録カード１３に記録する。ステップ１９（Ｓ１９）で画像情報の記録が終わるとステップ２０（Ｓ２０）でシステムマイコン１８は電磁石駆動回路２４を介して電磁石２３のＰＯＷＥＲをＯＦＦにする。
【００２２】
図８は図３のフローチャートで説明した情報記録装置における、システムマイコン１８が電磁石駆動回路２４を介して制御する電磁石２３のＰＯＷＥＲ状態を示すタイムチャートである。
【００２３】
ステップ１５（Ｓ１５）のＴＯＣ情報記録中は、情報記録装置を制御するシステムマイコン１８が電磁石駆動回路２４を介して電磁石２３のＰＯＷＥＲをＭＡＸにし、カード蓋１９側の鉄板等の磁性体２１を吸引し通常の操作力ではカード蓋１９をオープンできなくする。ステップ１８（Ｓ１８）の画像情報記録中は、情報記録装置を制御するシステムマイコン１８が電磁石駆動回路２４を介して電磁石２３のＰＯＷＥＲをＭＩＤにすることにより、電力の消費をおさえながら、カード蓋１９側の鉄板等の磁性体２１をＭＩＤの吸引力で吸引しカード蓋１９を簡単にはオープンできなくする。それ以外ではシステムマイコン１８が電磁石駆動回路２４を介して電磁石２３のＰＯＷＥＲをＯＦＦにし、カード蓋１９側の鉄板等の磁性体２１を吸引せずカード蓋１９を簡単にオープンできる状態にあることを示す。ステップ１８（Ｓ１８）の画像情報記録中に電磁石２３の吸引力より強い力でカード蓋１９をオープンしカード１３を取り出しても、ＴＯＣ情報が記録済みのため今回記録している画像情報以前の画像情報は保護される。
【００２４】
図５は、前記情報記録装置が画像情報記録カード１３にＴＯＣ情報を記録する間は電磁石２３のＰＯＷＥＲをＯＮにし電磁石２３を動作させる場合のフローチャートである。
【００２５】
ステップ２１（Ｓ２１）で情報記録装置本体の電源をＯＮ／ＯＦＦする電源ＳＷ１１がＯＮされ、ステップ２２（Ｓ２２）で画像情報記録カード１３の有無を検出するカード検出ＳＷ１７がカードを検出しＯＮの状態で、ステップ２３（Ｓ２３）に進み画像情報記録カード１３にＴＯＣ情報、画像情報を記録スタートさせる画像情報記録ＳＷ１６がＯＮされると、ステップ２４（Ｓ２４）で情報記録装置を制御するシステムマイコン１８は電磁石駆動回路２４を介して電磁石２３のＰＯＷＥＲをＯＮにし、カード蓋１９側の鉄板等の磁性体２１を吸引し通常の操作力ではカード蓋１９をオープンできなくし、ステップ２５（Ｓ２５）でＴＯＣ記録回路１４を介してＴＯＣ情報を画像情報記録カード１３に記録する。ステップ２６（Ｓ２６）でＴＯＣ情報の記録が終わるとステップ２７（Ｓ２７）でシステムマイコン１８は電磁石駆動回路２４を介して電磁石２３のＰＯＷＥＲをＯＦＦにする。ステップ２８（Ｓ２８）でシステムマイコン１８は画像情報記録回路１５を介して画像情報を画像情報記録カード１３に記録する。ステップ２９（Ｓ２９）で画像情報の記録が終わるとステップ２１（Ｓ２１）の初期状態にもどる。
【００２６】
図９は図４のフローチャートで説明した情報記録装置における、システムマイコン１８が電磁石駆動回路２４を介して制御する電磁石２３のＰＯＷＥＲ状態を示すタイムチャートである。
【００２７】
ステップ２５（Ｓ２５）のＴＯＣ情報記録中は、情報記録装置を制御するシステムマイコン１８が電磁石駆動回路２４を介して電磁石２３のＰＯＷＥＲをＯＮにし、カード蓋１９側の鉄板等の磁性体２１を吸引し通常の操作力ではカード蓋１９をオープンできなくする。ステップ２７（Ｓ２７）の画像情報記録中を含むステップ２５（Ｓ２５）のＴＯＣ情報記録中以外は、システムマイコン１８が電磁石駆動回路２４を介して電磁石２３のＰＯＷＥＲをＯＦＦにし、電力の消費をおさえると共に、カード蓋１９側の鉄板等の磁性体２１を吸引せずカード蓋１９を簡単にオープンできる状態にあることを示す。ステップ２７（Ｓ２７）の画像情報記録中にカード蓋１９をオープンしカード１３を取り出しても、ＴＯＣ情報が記録済みのため今回記録している画像情報以前の画像情報は保護される。
【００２８】
図３、４、５においては、図１に示すようにコイルバネ２０によりカード蓋１９を情報記録装置１０の本体側に閉じると共に、情報記録装置１０の本体側に固定された永久磁石２２によりカード蓋１９に固定された鉄板等の磁性体２１を吸引しており、カード蓋１９は簡単にはオープンすることなく、また永久磁石２２がカード蓋１９に固定された鉄板等の磁性体２１を吸引している吸引力より強い力をかければカード蓋１９をオープンし画像情報記録カード１３を取り出すことができる。
【００２９】
図１では永久磁石２２を使いカード蓋１９の開閉ロックをしているが、永久磁石２２の代わりにメカ的なロック機構を設けても前述と同様の効果が得られる。
【００３０】
図７は図９に対してステップ３２（Ｓ３２）で動画像情報などの画像情報記録が終わったあとに再度ステップ３３（Ｓ３３）でＴＯＣ情報を記録するタイプの情報記録装置において、システムマイコン１８が電磁石駆動回路２４を介して制御する電磁石２３のＰＯＷＥＲ状態を示すタイムチャートである。
【００３１】
ステップ３１（Ｓ３１）とステップ３３（Ｓ３３）のＴＯＣ情報記録中は、情報記録装置を制御するシステムマイコン１８が電磁石駆動回路２４を介して電磁石２３のＰＯＷＥＲをＯＮにし、カード蓋１９側の鉄板等の磁性体２１を吸引し通常の操作力ではカード蓋１９をオープンできなくする。ステップ３２（Ｓ３２）の画像情報記録中を含むステップ３１（Ｓ３１）とステップ３３（Ｓ３３）のＴＯＣ情報記録中以外は、システムマイコン１８が電磁石駆動回路２４を介して電磁石２３のＰＯＷＥＲをＯＦＦにし、電力の消費をおさえると共に、カード蓋１９側の鉄板等の磁性体２１を吸引せずカード蓋１９を簡単にオープンできる状態にあることを示す。ステップ３２（Ｓ３２）の画像情報記録中にカード蓋１９をオープンしカード１３を取り出しても、ＴＯＣ情報が記録済みのため今回記録している画像情報以前の画像情報は保護される。
【図面の簡単な説明】
【００３２】
【図１】本発明の一実施の形態に関する情報記録装置の特徴を表す構成図である。
【図２】図１における情報記録装置の概略ブロック図である。
【図３】前記情報記録装置が画像情報記録カードにＴＯＣ情報と画像情報を記録する間は電磁石のＰＯＷＥＲをＯＮにして電磁石を動作させる場合のフローチャートである。
【図４】前記情報記録装置が画像情報記録カードにＴＯＣ情報を記録する間は電磁石のＰＯＷＥＲをＭＡＸにし、画像情報を記録する間は電磁石のＰＯＷＥＲをＭＩＤにし電磁石を動作させる場合のフローチャートである。
【図５】前記情報記録装置が画像情報記録カードにＴＯＣ情報を記録する間は電磁石のＰＯＷＥＲをＯＮにし電磁石を動作させる場合のフローチャートである。
【図６】図２のフローチャートで説明した情報記録装置における電磁石のＰＯＷＥＲ状態を示すタイムチャートである。
【図７】図９に対して画像情報記録が終わったあとに再度ＴＯＣ情報を記録するタイプの情報記録装置における電磁石のＰＯＷＥＲ状態を示すタイムチャートである。
【図８】図３のフローチャートで説明した情報記録装置における電磁石のＰＯＷＥＲ状態を示すタイムチャートである。
【図９】図４のフローチャートで説明した情報記録装置における電磁石のＰＯＷＥＲ状態を示すタイムチャートである。
【符号の説明】
【００３３】
１０  情報記録装置
１１  情報記録装置本体の電源をＯＮ／ＯＦＦする電源ＳＷ
１２  被写体を撮像するカメラ部
１３  カメラ部１２によって撮像された画像情報を記録する画像情報記録カード
１４  画像情報記録カード１３にＴＯＣ情報を記録するＴＯＣ記録回路
１５  画像情報記録カード１３に画像情報を記録する画像情報記録回路
１６  画像情報記録カード１３にＴＯＣ情報、画像情報を記録スタートさせる画像情報記録ＳＷ
１７  画像情報記録カード１３の有無を検出するカード検出ＳＷ
１８  情報記録装置を制御するシステムマイコン
１９  画像情報記録カード１３を覆うカード蓋
２０  カード蓋１９を情報記録装置１０の本体側に閉じるコイルバネ
２１  カード蓋１９に固定された鉄板等の磁性体
２２  カード蓋１９に固定された鉄板等の磁性体２１を常に吸引するための永久磁石
２３  システムマイコン１８によって制御されてカード蓋１９に固定された鉄板等の磁性体２１を吸引するための電磁石
２４  電磁石２３を駆動するための電磁石駆動回路
【図１】
2007128249.tif 000003
【図２】
2007128249.tif 000004
【図３】
2007128249.tif 000005
【図４】
2007128249.tif 000006
【図５】
2007128249.tif 000007
【図６】
2007128249.tif 000008
【図７】
2007128249.tif 000009
【図８】
2007128249.tif 000010
【図９】
2007128249.tif 000011